(57)【要約】【課題】  防護盾の耐衝撃性能や機能を損なうことなく防護盾を軽量化して取扱性を向上する。【解決手段】  耐衝撃性を備えたポリカーボネート板により、厚さが３ｍｍ以上５ｍｍ以下で盾面の面積が７００ｃｍ２乃至１１００ｃｍ２程度の小型あるいは中型に形成した盾本体２の中央部に、盾本体２よりも小さいポリカーボネート製の補強部材１０と盾本体２を把持する把持手段３とを設ける。補強部材１０は把持手段３よりも左右に３ｃｍ以上はみだして取り付ける。【選択図】図１
2007010295.tif 000002
【特許請求の範囲】
【請求項１】
耐衝撃性を備えた樹脂材料製の盾本体の中央部に、盾本体より小さい補強部材と盾本体を把持する把持手段とを取り付けることを特徴とする防護盾。
【請求項２】
前記盾本体及び補強部材はポリカーボネート製であって、
盾本体は厚さ３ｍｍ以上５ｍｍ以下であり、
補強部材は把持手段よりも左右に３ｃｍ以上はみ出すことを特徴とする請求項１記載の防護盾。
【請求項３】
前記盾本体は盾面の面積が、７００ｃｍ２乃至１１００ｃｍ２であることを特徴とする請求項２記載の防護盾。
【発明の詳細な説明】
【技術分野】
【０００１】
本発明は、小売店の店頭や家庭の玄関などに設置しておき、暴漢等に襲われた際に身を守るための防護盾に関するものである。
【背景技術】
【０００２】
強盗などの犯罪に用いられる凶器には、持ち運びが容易で威力もある包丁や小型のナイフなどの刃物が頻繁に使用されている。したがって、このような暴漢等の攻撃から身を守るための防護盾には、少なくともナイフなどが貫通しない程度の強度が必要とされる。
一般的に、成人男性がナイフを構え、体重をのせて刺突したときのエネルギーは約２５Ｊ（ジュール）とされ、防刃ベストなどでもこの値が基準となっていることから、この値が一つの目安になる。
【０００３】
従来の防護盾はその材質として、金属に比べて軽量であると共に優れた耐衝撃性を備えているポリカーボネート板が用いられている。
ポリカーボネート製の防護盾は、Ａ４（縦２９７ｍｍ、横２１０ｍｍ）よりも少し大きめで顔が隠れる程度のサイズのものが好まれており、その厚さは５ｍｍ以上に形成されている。厚さが５ｍｍ以上の防護盾であれば、ナイフや包丁を垂直落下して２５Ｊのエネルギーで衝突させる垂直落下試験において、ナイフや包丁が貫通しない程度の強度を備えている。
【０００４】
上記のごとく、Ａ４大（例えば、縦３３０ｍｍ、横２５０ｍｍ）のサイズで５ｍｍ程度の厚さに形成した防護盾は、ポリカーボネート製の盾本体と取っ手やアラームなどの付属品とをあわせて、その重さは１ｋｇ以上になる。比較的軽量ではあるものの、非力な女性や高齢者にとっては、盾を構えた時に重量感を覚え、扱い難いという問題があった。
【０００５】
近年の犯罪の増加や凶悪化に対応して、学校、金融機関やコンビニエンスストアなどの業務用や一般家庭用として、こういった防護盾が普及し始めており、女性や高齢者が使用する可能性も増えてきていることから、盾の重量などに起因する防護盾の取扱性が問題となる。
【０００６】
防護盾を軽量化できれば、女性や高齢者であっても防護盾を扱いやすくなる。例えば防護盾を軽量化する方法として、盾本体を小さくしたり薄くしたり、付属品を軽量化したり取り外したりすることが考えられる。
【０００７】
しかし、付属品を取り外してしまうと、当然その機能は失われてしまうし、盾の把持手段やアラーム等の付属品を加工して軽量化するのではコストがかかってしまう。また、盾本体のサイズを小さくすると、防護盾で保護できる面積が小さくなって使用者の身を十分に守れないおそれがあるし使用者が不安を感じる要因ともなる。さらに、盾本体を薄くしてしまうとナイフなどの攻撃に対する十分な強度が得られず、怪我をするおそれがある。
【発明の開示】
【発明が解決しようとする課題】
【０００８】
解決しようとする問題点は、防護盾の機能や性能を損なうことなく防護盾を軽量化して取扱性を向上することが困難であった点であり、十分な機能と性能を保ちながら防護盾の取扱性を向上して、扱いやすい防護盾を提供することを目的とする。
【課題を解決するための手段】
【０００９】
本発明は、耐衝撃性を備えた樹脂材料製の盾本体の中央部に、盾本体より小さい補強部材と盾本体を把持する把持手段とを取り付けたことを最も主要な特徴とする。
【発明の効果】
【００１０】
本発明は、適度な大きさに形成した盾本体の中央部に、盾本体よりも小さい補強部材と盾本体を把持する把持手段とを取り付けたことにより、防護盾の盾面の面積を小さくすること無く盾本体自体を薄く形成して全体を軽量化する一方、把持手段をつかむ手は確実に保護し、さらに防護盾の把持手段の回りのモーメントが減少して取扱性を向上できるという利点がある。
【発明を実施するための最良の形態】
【００１１】
以下、図１乃至図２を参照して本発明に係る防護盾の詳細について説明する。
【００１２】
図１は、本発明に係る防護盾１を裏面から見た斜視図である。
盾本体２は耐衝撃性を有する板状のポリカーボネートにより形成する。盾本体２の大きさは、盾を構えた時に小さく感じないようにすると共に、大きくしすぎて重くならないように形成する。具体的には、例えば盾面の面積を７００ｃｍ２乃至１１００ｃｍ２程度に形成する。
【００１３】
本実施形態において盾本体２は方形に形成され、その寸法はＡ４サイズよりも一回り大きく、縦３３０ｍｍ、横２５０ｍｍである。この盾本体２の中央部に補強部材１０を介して把持手段３を取り付ける。補強部材１０はポリカーボネートにより形成する。補強部材１０の寸法は、盾本体２の半分程度のサイズで、縦１７０ｍｍ、横１００ｍｍに形成されている。
【００１４】
把持手段３にはスプレー４が噴射スイッチ４ａを露出した状態で縦向きに内蔵されており、スプレー４のノズル４ｂは曲げられて盾本体２の上部に設けられた噴射孔５に連結されている。また、ノズル４ｂが外れたり損傷したりしないように、ノズルを覆う保護部材６を取り付ける。
【００１５】
盾本体２の下部にはホルダ７を取り付ける。このホルダ７には防犯用に大音量を発することができるアラーム８を取り付ける。このアラーム８はその下部に設けられているひも８ａを引張ることで作動して警音を発する。また、ホルダ７にスタンド９を取り付けて、防護盾１を机上に起立した状態で保持する。
【００１６】
図２は、本発明に係る防護盾の一部を断面で示す側面図である。
盾本体２は厚さ３ｍｍに形成され、補強部材１０は厚さ２ｍｍに形成されている。補強部材１０は、把持手段３と共にネジ１１によって盾本体２に取り付ける。
【００１７】
上記のごとく、盾本体２を縦３３０ｍｍ、横２５０ｍｍ、厚さ３ｍｍに形成し、補強部材１０を、縦１７０ｍｍ、横１００ｍｍ、厚さ２ｍｍに形成し、盾本体２に補強部材１０及び把持手段３に加えてスプレー４、アラーム８などの付属品を取り付けて防護盾１を形成すると、この防護盾１の重さは、従来のもの（約１ｋｇ）より約１５パーセント減少して８５０ｇ程度になる。
【００１８】
盾本体２が薄ければ薄いほど防護盾１は軽くなるが、盾本体２が薄すぎるとナイフなどで刺突されたときに盾本体２が破壊されてしまうおそれがあるため、ポリカーボネートで形成した盾本体２の厚さは、少なくとも３ｍｍ以上にする。３ｍｍ程度の厚さがあればナイフ等で刺突されたときに、盾本体２を貫通しても盾本体２が破壊されてしまうことはない。
【００１９】
また、従来の盾は５ｍｍ以上の厚さに形成されており、盾本体２は５ｍｍ以下に形成して軽量化する一方で、強部材１０を取り付けた部分の防護盾１の厚さが５ｍｍ以上となるように形成する。
【００２０】
上記のごとく構成した防護盾１は、盾本体２を従来のものよりも薄く形成すると共に把持手段を設けた中央部には補強部材を取り付けたことにより、把持手段３の把持部３ａに対向する部分の強度を損なうことなく、従来のものに比べて防護盾１を軽量化することができる。
さらに、防護盾１の周縁が従来よりも薄く形成されていることにより、把持手段の回りのモーメントが減少し、防護盾を構えた際にいっそう軽量に感じるため取扱い性が格段に向上する。
【００２１】
また、盾本体の周縁部はナイフ等の刃物が貫通するおそれがあるが、貫通したナイフ等は引き抜けにくく、刃物を封じたり奪い取ったりすることもできる。
【００２２】
また、板厚が３ｍｍ程度の薄いポリカーボネート板は真空成形することが容易なため、盾を成形する場合の量産性に優れ、安価なコストで盾を製造することができる。
【００２３】
また、上記各実施例において盾本体の形状は方形に形成したが、例えば円形、楕円形や五角形などの多角形であってもよく、盾面が３次元的な曲面を有するものでもよい。
【００２４】
また、上記各実施例において補強部材１０はポリカーボネートにより形成したが、芳香族ポリアミド繊維などの高強度、高弾性率の繊維材料により形成してもよい。
【図面の簡単な説明】
【００２５】
【図１】本発明に係る防護盾を裏面から見た斜視図
【図２】防護盾の一部断面側面図
【符号の説明】
【００２６】
１    防護盾
２    盾本体
３    把持手段
３ａ  把持部
４    スプレー
４ａ  噴射スイッチ
４ｂ  ノズル
５    噴射孔
６    保護部材
７    ホルダ
８    アラーム
８ａ  ひも
９    スタンド
１０  補強部材
１１  ネジ
【図１】
2007010295.tif 000003
【図２】
2007010295.tif 000004